(57)【要約】【課題】簡素な構造でありながら、背もたれの各種傾斜角度において座り心地の良い椅子を提供する。【解決手段】椅子１０は、座１１と、背もたれ１２と、座１１と背もたれ１２を一体に支持する構造体１４と、床に置かれるベース部１５とを備え、構造体１４は、座１１の前端の下方（着座者の足首の高さ）にあって座１１の前端に沿った方向の回転軸１６でベース部１５に回動可能に支持される。また、回転軸１６を中心とした座１１の回動に連動して、座１１に対する背もたれ１２の傾斜角度を変化させる連動機構（リンク２０）を有する。【選択図】図３
2015080622.tif 000002
【特許請求の範囲】
【請求項１】
座の前端の下方において前記座の幅方向に沿った回転軸を中心に前記座と背もたれの全体が回動してリクライニングする
ことを特徴とする椅子。
【請求項２】
前記回転軸は、着座者の足首に近い高さとなるように設けられる
ことを特徴とする請求項１に記載の椅子。
【請求項３】
前記回転軸を中心とした前記座の回動に連動して、前記座に対する前記背もたれの傾斜角度を変化させる連動機構を有する
ことを特徴とする請求項１または２に記載の椅子。
【請求項４】
前記座と前記背もたれを一体に支持する構造体と、
床に置かれるベース部と、
を備え、
前記構造体は、前記回転軸で前記ベース部に回動可能に支持され、前記構造体が回動することで前記座と背もたれの全体が回動してリクライニングする
ことを特徴とする請求項１乃至３のいずれか１つに記載の椅子。
【請求項５】
前記背もたれは、前記座の後端またはその近傍を回転中心として前記構造体に支持されると共に、前記回転中心より下方に延びたアーム部を備え、
前記連携機構は、一端が前記座の前端の下方で前記回転軸の上方の所定箇所で前記ベース部に軸支された固定端にされ、他端が前記アーム部に軸支されたリンクを有する
ことを特徴とする請求項３を引用する請求項４に記載の椅子。
【請求項６】
前記構造体は、側方視の外形が略直角三角形を成しており、直角な角を挟む２辺のうちの一方の辺に沿って座を支持し、前記２辺のうちの他方の辺と斜辺とに挟まれた角の近傍で前記回転軸に支持され、前記一方の辺と斜辺とに挟まれた角の近傍で前記背もたれを支持する
ことを特徴とする請求項４または５に記載の椅子。
【請求項７】
前記構造体に取り付けられた肘掛をさらに有する
ことを特徴とする請求項４乃至６のいずれか１つに記載の椅子。
【請求項８】
一端が前記座の前端の裏面近傍で前記構造体に軸支され、他端から前記一端に向けて斜め上向きとなるように前記他端が前記座の後端側で前記ベース部に軸支されたダンパーと、
前記構造体を回動可能な状態と回動不能に固定した状態とに切り替えるロック機構と、
をさらに有する
ことを特徴とする請求項４乃至７のいずれか１つに記載の椅子。
【発明の詳細な説明】
【技術分野】
【０００１】
本発明は、背もたれの傾倒と座部の変位が連動する椅子に関する。
【背景技術】
【０００２】
従来のリクライニング機構付き椅子には、背もたれを倒す動きに連動して座が後方に移動したり傾斜したりするものがある（たとえば、特許文献１参照）。
【先行技術文献】
【特許文献】
【０００３】
特許第４７９６０８７号
【発明の概要】
【発明が解決しようとする課題】
【０００４】
特許文献１に開示された椅子のように、背もたれの傾斜に伴って座を後方に移動させる等の機構を設けると、各種の傾斜角度における座り心地は良くなるが、椅子の構造が複雑になってしまう。
【０００５】
本発明は、上記の問題を解決しようとするものであり、簡単な構造でありながら背もたれの各種傾斜角度において座り心地の良い椅子を提供することを目的としている。
【課題を解決するための手段】
【０００６】
かかる目的を達成するための本発明の要旨とするところは、次の各項の発明に存する。
【０００７】
［１］座の前端の下方において前記座の幅方向に沿った回転軸を中心に前記座と背もたれの全体が回動してリクライニングする
ことを特徴とする椅子。
【０００８】
上記発明では、座の前端の下方において座の幅方向に沿って設けられた回転軸を中心に座と背もたれの全体が回動してリクライニングする。
【０００９】
［２］前記回転軸は、着座者の足首に近い高さとなるように設けられる
ことを特徴とする［１］に記載の椅子。
【００１０】
上記発明では、座と背もたれの全体が着座者の足首に近い高さに設けた回転軸を中心に回動する。リクライニングさせる際に着座者の姿勢も足首の近くを中心に回動するように変化するので、足を床につけたまま、座りなおすことなく、安定した姿勢で背もたれをリクライニングさせることができる。
【００１１】
［３］前記回転軸を中心とした前記座の回動に連動して、前記座に対する前記背もたれの傾斜角度を変化させる連動機構を有する
ことを特徴とする［１］または［２］に記載の椅子。
【００１２】
上記発明では、座の回動に連動して、座に対する背もたれの傾斜角度が変化する。これにより、各種のポジションにおいて座と背もたれの傾斜角度を理想的な角度にすることができる。
【００１３】
［４］前記座と前記背もたれを一体に支持する構造体と、
床に置かれるベース部と、
を備え、
前記構造体は、前記回転軸で前記ベース部に回動可能に支持され、前記構造体が回動することで前記座と背もたれの全体が回動してリクライニングする
ことを特徴とする［１］乃至［３］のいずれか１つに記載の椅子。
【００１４】
上記発明では、椅子の構造が簡素化される。
【００１５】
［５］前記背もたれは、前記座の後端またはその近傍を回転中心として前記構造体に支持されると共に、前記回転中心より下方に延びたアーム部を備え、
前記連携機構は、一端が前記座の前端の下方で前記回転軸の上方の所定箇所で前記ベース部に軸支された固定端にされ、他端が前記アーム部に軸支されたリンクを有する
ことを特徴とする［３］を引用する［４］に記載の椅子。
【００１６】
上記発明では、簡単な構成の連結機構により、座と背もたれを、理想の傾斜角度の関係を維持して連動させることができる。
【００１７】
［６］前記構造体は、側方視の外形が略直角三角形を成しており、直角な角を挟む２辺のうちの一方の辺に沿って座を支持し、前記２辺のうちの他方の辺と斜辺とに挟まれた角の近傍で前記回転軸に支持され、前記一方の辺と斜辺とに挟まれた角の近傍で前記背もたれを支持する
ことを特徴とする［４］または［５］に記載の椅子。
【００１８】
上記発明では、構造体を三角形状にすることで、強度を高めることができる。また、構造が簡素になる。
【００１９】
［７］前記構造体に取り付けられた肘掛をさらに有する
ことを特徴とする［４］乃至［６］のいずれか１つに記載の椅子。
【００２０】
上記発明では、リクライニングに連動して肘掛の角度も変化する。
【００２１】
［８］一端が前記座の前端の裏面近傍で前記構造体に軸支され、他端から前記一端に向けて斜め上向きとなるように前記他端が前記座の後端側で前記ベース部に軸支されたダンパーと、
前記構造体を回動可能な状態と回動不能に固定した状態とに切り替えるロック機構と、
をさらに有する
ことを特徴とする［４］乃至［７］のいずれか１つに記載の椅子。
【００２２】
上記発明では、ダンパーに補助されるので、背もたれをリクライニング姿勢から容易に起こすことができる。
【発明の効果】
【００２３】
本発明に係る椅子によれば、簡単な構造でありながら背もたれの各種傾斜角度において良好な座り心地を得ることができる。
【図面の簡単な説明】
【００２４】
【図１】本発明の実施の形態に係る椅子の概略の構造を示す正面図である。
【図２】本発明の実施の形態に係る椅子の概略の構造を示す側面図である。
【図３】本発明の実施の形態に係る椅子において座の各種の傾斜角度における背もたれの傾斜角度を示す図である。
【発明を実施するための形態】
【００２５】
以下、図面に基づき本発明の実施の形態を説明する。
【００２６】
図１は、本発明の実施の形態に係る椅子１０の概略の構造を示す正面図であり、図２は、椅子１０の概略構造を示す側面図である。なお、各図において座１１と背もたれ１２については骨組みのみを示してあり、クッション等の図示は省略してある。
【００２７】
椅子１０は、座１１の前端の下方において座１１の幅方向に沿った回転軸１６を中心に座１１と背もたれ１２の全体が回動してリクライニングするように構成されている。回転軸１６は、着座者の足首に近い高さとなるように設けられている。
【００２８】
また、回転軸１６を中心とした座１１の回動に連動して、座１１に対する背もたれ１２の傾斜角度が変化するようになっている。図３は、各種ポジションにおける座１１の傾斜角度と背もたれ１２の傾斜角度を示している。椅子１０では、座１１の傾斜角度と背もたれの傾斜角度の関係は着座者が自由に変更することはできず、それぞれの座１１の傾斜角度における背もたれの傾斜角度は一義的に定められている。
【００２９】
ここでは、ポジションＰ１では、水平に対して座１１は０度の後傾となり、背もたれ１２の角度は水平に対して９３度になる。ポジションＰ２では座１１は４度の後傾となり、背もたれ１２の角度は１００度になる。ポジションＰ３では座１１は６度の後傾となり、背もたれ１２の角度は１０５度になる。ポジションＰ４では座１１は１０度の後傾となり、背もたれ１２の角度は１１０度になる。なお図示省略するがさらに背もたれ１２を倒したポジションＰ５では座１１は１４度の後傾となり、背もたれ１２の角度は１１５度になる。
【００３０】
椅子１０の構造をより詳しく説明する。椅子１０は、座１１と、背もたれ１２と、左右一対の肘掛１３と、座１１と背もたれ１２と一体に支持する構造体１４と、床面３に設置されるベース部１５とを備えている。
【００３１】
ベース部１５は、床面３に立てた状態でそれぞれ椅子１０の前後方向に沿う向きに配置された左右一対の台板１５ａを備えている。台板１５ａは、椅子１０の前端側と後端側のそれぞれで円柱状の連結棒１７で連結されている。前端側の連結棒１７は前述した回転軸１６として機能する。
【００３２】
座１１と背もたれ１２とを一体に支持する構造体１４は、角の丸められた直角三角形もしくは略直角三角形の板状の保持板１４ａを向きを揃えて左右一対に備え、これら左右一対の保持板１４ａの間を円柱状の連結棒１８で連結して構成される。
【００３３】
詳細には、保持板１４ａは、直角な角が座１１の前端の近傍になり、直角な角を挟む一方の辺ａが座１１に沿い、他方の辺ｂが座１１の前端から下方の回転軸１６の近傍に向けて伸びる向きにされて配置され、辺ｂと斜辺ｃとに挟まれた角の近傍で回転軸１６によって回動可能に支持されている。また、左右一対の保持板１４ａは、辺ａの両端の近傍で連結棒１８で連結されており、座１１はその前端と後端がこれらの連結棒１８に取り付けられて支持されている。なお、保持板１４ａは、外形が三角形状であれば、中空の枠などでもかまわない。
【００３４】
背もたれ１２は、その回転中心１２ａが、構造体１４の保持板１４ａの辺ａと斜辺ｃに挟まれた角の近傍において保持板１４ａに支持されている。背もたれ１２の回転中心１２ａは、座１１の後端のやや後方に位置している。
【００３５】
背もたれ１２は、回転中心１２ａより下方に延びたアーム部１２ｂを備えている。
【００３６】
椅子１０は、回転軸１６を中心とした座１１の回動に連動して、座１１に対する背もたれ１２の傾斜角度を変化させる連動機構の一部を成すリンク２０を備えている。リンク２０は、その一端がアーム部１２ｂに軸支され、他端は座１１の前端の下方であって回転軸１６からやや上方に延びるように設けられた取り付け部材２１の上端に軸支されて固定端になっている。
【００３７】
上記リンク２０を含む連携機構は、回転軸１６から所定長だけ上方に固定的に延設された取り付け部材２１からなる第１節と、背もたれ１２の回転中心１２ａと取り付け部材２１の上端とを繋ぐリンク２０からなる第２節と、アーム部１２ｂからなる第３節と、背もたれ１２の回転中心１２ａと回転軸１６とを繋ぐ構造体１４（特に保持板１４ａの斜辺ｃ）からなる第４節とで構成された４節リンク機構になっている。
【００３８】
さらに、椅子１０は、一端が座１１の前端の裏面近傍にある連結棒１８に軸支され、他端が座１１の後端側の下方の連結棒１７に軸支され、他端から一端に向けて斜め上向きとなるように配置されたダンパー２２を備えている。ダンパー２２は、シリンダと、該シリンダから進出した状態とシリンダに収納された状態とに進退するピストンとを備え、このピストンを進出方向に付勢する。
【００３９】
また、ダンパー２２は任意の進出位置でピストンをロックするロック機構を備えている。ダンパー２２のロック機構によってピストンをロックすると、構造体１４が回転軸１６を中心に回動不能となってロックされ、ピストンのロックを解除すると、構造体１４が回転軸１６を中心に回動可能な状態になる。
【００４０】
肘掛１３は平板を下向きＵ字状に曲げた形状を備え、Ｕ字状の両端が構造体１４に取り付けられている。
【００４１】
上記のような構造の椅子１０では、ダンパー２２のロックを解除した状態で、回転軸１６を中心に構造体１４を回動させると、構造体１４に一体に支持された座１１と背もたれ１２と肘掛１３の全体が回転軸１６を中心に回動する。また、この回動に伴って連動機構が作動し、背もたれ１２の傾斜角度が、図３に示すように、座１１の動きに連動して変化する。
【００４２】
ここでは、座１１の様々な傾斜角度において、座り心地が良いとされる理想的な傾斜角度に背もたれ１２が連動するように設定してある。すなわち、椅子のプロトタイプの各型を基準として、各型をつなげてスムースにリクライニング動作するようになっている。したがって、どのポジションにおいても、最適な姿勢となって良好な座り心地が提供される。
【００４３】
また、ダンパー２２は、背もたれ１２を起こす方向に付勢するので、着座者は背もたれ１２をリクライニング姿勢からアップライト姿勢に容易に戻すことができる。着座者は、ロックを解除した状態で体重を背もたれ１２にかけることでダンパー２２に抗して容易に背もたれ１２を倒すことができる。
【００４４】
椅子１０では、座１１と背もたれ１２と肘掛１３を一体に支持する構造体１４を回転軸１６を中心に回動するように支持すると共に、リンク２０によって座１１と背もたれ１２の傾斜角度を連動させるので、上記の座り心地を提供しつつ構造が簡素になり、部品点数の削減、重量減、コストダウンなどの効果を得ることができる。
【００４５】
また、座１１と背もたれ１２の全体が着座者の足首に近い高さに設けた回転軸１６を中心に回動する。そのため、リクライニングさせる際に着座者の姿勢も足首の近くを中心に回動するように変化し、着座者は足を床につけたまま、座り直すことなく、安定した姿勢で背もたれ１２をリクライニングさせることができる。
【００４６】
また、構造体１４を三角形状の保持板１４ａ等で構成したので、簡素な構造で高い強度を得ることができる。なお、保持板１４ａの周縁を内側等に折り曲げればさらに強度を高めることができる。
【００４７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００４８】
実施の形態では、座１１に対する背もたれ１２の傾斜角度を座１１の動きに連動させるようにしたが、座１１の前端の下方（特に、着座者の足くびの高さ）において座１１の幅方向に沿った回転軸１６を中心に座１１と背もたれ１２の全体が回動してリクライニングすれば、座１１に対する背もたれ１２の傾斜角度は固定にされてもよい。着座者の足首近くを回転中心として座１１や背もたれ１２がリクライニングすることで、着座者は床面３につけた足の姿勢を維持でき、リクライニングに伴って座り直す必要がなく、椅子１０に身をまかせることができる。
【００４９】
なお、回転軸１６は、必ずしも着座者の足首の高さにする必要はないが、その近傍が好ましい。少なくとも座１１の前端より下方の高さにする。
【００５０】
実施の形態で示したベース部１５や構造体１４などの構造は一例であり、これに限定されるものではない。座１１の前端の下方において座１１の幅方向に沿った回転軸１６を中心に座１１と背もたれ１２の全体が回動してリクライニングする構造であればよい。
【００５１】
たとえば、ベース部１５の下方にキャスタや回転台などをさらに設けてもよい。この場合も、座１１と背もたれ１２の全体の回転中心が着座者の足首の高さに近くなるようにすることが望ましい。また、座１１と背もたれ１２の全体を上下させる機構を設けて、身長（特にひざから下の足の長さ）が異なっても、回転軸１６を着座者の足首の高さに調整できるようにするとよい。
【００５２】
ダンパー２２の取りつけ位置は実施の形態で例示した位置に限定されず、適宜でよい。また、ダンパー２２とは別のロック機構を設けてもよい。
【００５３】
図３に示した座１１の傾斜角度と背もたれ１２の傾斜角度との関係は一例であり、これに限定されるものではない。
【符号の説明】
【００５４】
３…床面
１０…椅子
１１…座
１２…背もたれ
１２ａ…回転中心
１２ｂ…アーム部
１３…肘掛
１４…構造体
１４ａ…保持板
１５…ベース部
１５ａ…台板
１６…回転軸
１７…連結棒
１８…連結棒
２０…リンク
２１…取り付け部材
２２…ダンパー
【図１】
2015080622.tif 000003
【図２】
2015080622.tif 000004
【図３】
2015080622.tif 000005